(57)【要約】【課題】プロジェクタの光学系から投射される映像以外の光を遮蔽する。【解決手段】プロジェクタ筐体１０と、このプロジェクタ筐体１０に設けられ、そのプロジェクタ筐体１０に形成された投射口１１からプロジェクタ筐体１０が設置される面とほぼ平行な面に交差するように映像を含む光を投射するプロジェクタユニット２０とを備えているプロジェクタ１において、プロジェクタ筐体１０の前面１０Ａかつ投射口１１の上部に、投射口１１から投射される光の一部を遮蔽する遮光部材１５を取り付けた。【選択図】図４
2010032932.tif 000002
【特許請求の範囲】
【請求項１】
プロジェクタ筐体と、このプロジェクタ筐体に設けられ、そのプロジェクタ筐体に形成された投射口から前記プロジェクタ筐体が設置される面とほぼ平行な面に交差するように映像を含む光を投射する映像投射手段とを備えているプロジェクタにおいて、
前記プロジェクタ筐体に設けられ、前記投射口から投射される光の一部を遮蔽する遮光手段を備えていることを特徴とするプロジェクタ。
【請求項２】
前記投射口から投射される光は前記プロジェクタ筐体が設置される面と同一の平面に投射され、
前記遮光手段は前記投射口が位置する前記プロジェクタ筐体の前面かつ前記投射口の上部に取り付けられていることを特徴とする請求項１記載のプロジェクタ。
【請求項３】
前記遮光手段は、前記プロジェクタ筐体の前面にヒンジ部材を介して折り畳み可能に取り付けられていることを特徴とする請求項１又は２記載のプロジェクタ。
【請求項４】
前記遮光手段は、前記プロジェクタ筐体にガイド部材を介してスライド可能に取り付けられていることを特徴とする請求項１又は２記載のプロジェクタ。
【請求項５】
前記遮光手段は、前記投射口から投射された前記光を反射させる、前記映像投射手段の一部を構成する投射ミラーであることを特徴とする請求項１又は２記載のプロジェクタ。
【請求項６】
プロジェクタ筐体と、このプロジェクタ筐体内に設けられ、そのプロジェクタ筐体に形成された投射口から前記プロジェクタ筐体が設置される面とほぼ平行な面に交差するように映像を含む光を投射する映像投射手段とを備えているプロジェクタにおいて、
前記映像投射手段が、前記プロジェクタ筐体の前面から所定距離だけ離して配置され、前記映像投射手段から前記投射口までの投射像の光路の上方に位置する前記プロジェクタ筐体の一部分が、前記映像投射手段から投射される光の一部を遮蔽する遮光手段を構成することを特徴とするプロジェクタ。
【請求項７】
前記遮光手段は、前記映像投射手段と前記投射口との間に配置された、前記投射口に向かって次第に径が大きくなる筒を有することを特徴とする請求項６記載のプロジェクタ。
【発明の詳細な説明】
【技術分野】
【０００１】
この発明はプロジェクタに関する。
【背景技術】
【０００２】
従来、液晶ライトバルブ等を用いて映像光を合成し、合成された映像光を投影レンズ等の光学系を通じてスクリーン等に拡大投射するプロジェクタが知られている。一般に、プロジェクタは筐体をスクリーン等が設置される壁面から所定距離だけ離れた机等の上面に設置されるため、プロジェクタとスクリーンとの間（投射光の投射光領域）に人が入ってしまうことがある。下記特許文献には、投射光の投射光領域に人が入ったとき、光量を調節することで、投射光領域に入った人を投射光から保護するプロジェクタが開示されている。
【特許文献１】特開２００７−２２８５５１号公報
【発明の開示】
【発明が解決しようとする課題】
【０００３】
これに対し、例えば机の上面に設置され、その設置面に映像を投射する従来の他のプロジェクタでは、投射光の投射光領域に人が入ることはないが、プロジェクタの光学系（投射口、投射レンズ、投射ミラー等）から放出される輝度の高い光が投射方向前方にいる人の目に入るという問題がある。
【０００４】
この発明はこのような事情に鑑みてなされたもので、その課題はプロジェクタの光学系から放出される映像以外の光を遮蔽することである。
【課題を解決するための手段】
【０００５】
上記課題を解決するため請求項１記載の発明は、プロジェクタ筐体と、このプロジェクタ筐体に設けられ、そのプロジェクタ筐体に形成された投射口から前記プロジェクタ筐体が設置される面とほぼ平行な面に交差するように映像を含む光を投射する映像投射手段とを備えているプロジェクタにおいて、前記プロジェクタ筐体に設けられ、前記投射口から投射される光の一部を遮蔽する遮光手段を備えていることを特徴とする。
【０００６】
請求項２に記載の発明は、請求項１記載のプロジェクタにおいて、前記投射口から投射される光は前記プロジェクタ筐体が設置される面と同一の平面に投射され、前記遮光手段は前記投射口が位置する前記プロジェクタ筐体の前面かつ前記投射口の上部に取り付けられていることを特徴とする。
【０００７】
請求項３に記載の発明は、請求項１又は２記載のプロジェクタにおいて、前記遮光手段は、前記プロジェクタ筐体の前面にヒンジ部材を介して折り畳み可能に取り付けられていることを特徴とする。
【０００８】
請求項４に記載の発明は、請求項１又は２記載のプロジェクタにおいて、前記遮光手段は、前記プロジェクタ筐体にガイド部材を介してスライド可能に取り付けられていることを特徴とする。
【０００９】
請求項５に記載の発明は、請求項１又は２記載のプロジェクタにおいて、前記遮光手段は、前記投射口から投射された前記光を反射させる、前記映像投射手段の一部を構成する投射ミラーであることを特徴とする。
【００１０】
請求項６に記載の発明は、プロジェクタ筐体と、このプロジェクタ筐体内に設けられ、そのプロジェクタ筐体に形成された投射口から前記プロジェクタ筐体が設置される面とほぼ平行な面に交差するように映像を含む光を投射する映像投射手段とを備えているプロジェクタにおいて、前記映像投射手段が、前記プロジェクタ筐体の前面から所定距離だけ離して配置され、前記映像投射手段から前記投射口までの投射像の光路の上方に位置する前記プロジェクタ筐体の一部分が、前記映像投射手段から投射される光の一部を遮蔽する遮光手段を構成することを特徴とする。
【００１１】
請求項７に記載の発明は、請求項５記載のプロジェクタにおいて、前記遮光手段は、前記映像投射手段と前記投射口との間に配置された、前記投射口に向かって次第に径が大きくなる筒を有することを特徴とする。
【発明の効果】
【００１２】
この発明によれば、プロジェクタの光学系から放出される映像以外の光を遮蔽することができる。
【発明を実施するための最良の形態】
【００１３】
以下、この発明の実施の形態を図面に基づいて説明する。
【００１４】
図２はこの発明の第１実施形態に係るプロジェクタ１の構成を示すブロック図である。
【００１５】
プロジェクタ１は、プロジェクタ筐体１０と、このプロジェクタ筐体１０内に設けられ、そのプロジェクタ筐体１０に形成された投射口１１から映像を含む光を投射するプロジェクタユニット（映像投射手段）２０と、プロジェクタユニット２０に電力を供給するバッテリ１２と、バッテリ１２のオン・オフを行う電源スイッチ１３と、プロジェクタユニット２０の動作を制御する制御回路１４とが収容されている。
【００１６】
制御回路１４は電源スイッチ１３が押されたとき、バッテリ１２からプロジェクタユニット２０に電力を供給する。また、制御回路１４は外部から供給される映像信号に基づいてプロジェクタユニット２０のＬＥＤ光源２１や反射型液晶パネル２２（図３参照）を制御する。なお、外部から供給される映像信号の取り込みは例えばプロジェクタ筐体１０にＵＳＢ端子（図示せず）を設けておき、ＵＳＢメモリ信号を読み取ることで行われる。
【００１７】
図３はプロジェクタユニット２０の構成を示すブロック図である。
【００１８】
プロジェクタユニット２０は、高輝度の光を発光するＬＥＤ（発光色：白色）を用いたＬＥＤ光源２１と、ＬＥＤ光源２１から拡散しながら放射される光を集光するための集光レンズ２３と、入射した光をその偏光成分により分割する偏光ビームスプリッタ２４と、偏光ビームスプリッタ２４で分割された光を反射させて映像を作る反射型液晶パネル２２と、反射型液晶パネル２２で作られた映像を拡大する投射レンズ２６と、投射レンズ２６を透過した映像を机５０の上面（プロジェクタ１が設置される面）等へ反射させる投射ミラー２５とを備える。ＬＥＤ光源２１は基板２７上に配置されている。
【００１９】
なお、ＬＥＤ光源２１としては白色を発光するＬＥＤを用いたが、異なる色を発光するＬＥＤ、例えばＲ、Ｇ、Ｂ（Ｒｅｄ、Ｇｒｅｅｎ、Ｂｌｕｅ）を同時に発光するＬＥＤを使って白色を出ようにしてもよい。また、光源としてはＬＥＤ光源に限られない。
【００２０】
ＬＥＤ光源２１から出射された光は集光レンズ２３で集光され、偏光ビームスプリッタ２４に入射する。偏光ビームスプリッタ２４に入射した光のうちＳ偏光は接合面２４ａで反射されて反射型液晶パネル２２に入射する。なお、接合面２４ａを透過したＰ偏光は外部へ放出される。反射型液晶パネル２２は入射光を映像信号に基づいて変調するとともに、入射光の偏光面に直交する偏光面成分に変換して反射する。本実施形態においては、反射型液晶パネル２２として高速スイッチングが可能なＬＣＯＳ（Ｌｉｑｕｉｄ  Ｃｒｙｓｔａｌ  Ｏｎ  Ｓｉｌｉｃｏｎ）パネルを用いている。このＬＣＯＳパネルはいわゆる単板式であり、赤、緑、青の映像を連続的に表示する。ＬＣＯＳパネルはシリコンチップの表面に直接液晶が載せられており、それを覆うアルミニウム層等が高い反射率を有するという特長を有する。
【００２１】
反射型液晶パネル２２で映像信号に応じて変調されるとともにＰ偏光に変換された反射光は、接合面２４ａを透過して投射レンズ２６を介して投射ミラー２５に入射する。このようにして、映像は投射レンズ２６、投射ミラー２５を介して机５０（図１、４参照）の上面に拡大投射される。
【００２２】
プロジェクタユニット２０は上記の反射型液晶パネル２２を用いたものに限定されるものではなく、反射型液晶パネル２２に代えて例えば透過型液晶表示素子（ＬＣＤ）パネルを用いてもよい。透過型液晶表示素子パネルを用いた場合には光学系の光路長が反射型液晶パネル２２を用いた場合より短くなる。
【００２３】
更に、プロジェクタユニット２０は上記の反射型液晶パネル２２を用いたものに限定されるものではなく、例えばＤＬＰ（Ｄｉｇｉｔａｌ  Ｌｉｇｈｔ  Ｐｒｏｃｅｓｓｉｎｇ）でもよい。ＤＬＰは、例えば微小な四角の鏡（ＤＭＤ、デジタル・マイクロミラー・デバイス）を数百万個敷き詰めたものであり、各々の鏡の向きが映像信号に基づいて制御され、光源からの光が反射されて映像が投射面に投射される。
【００２４】
図４はこの発明の第１実施形態に係るプロジェクタ１の映像投射状態を示す概念図、図１はこの発明の一実施形態に係るプロジェクタ１の使用方法を説明する概念図である。なお、図１では遮光部材（遮光手段）１５の図示は省略されている。また、図４では投射口１１に対向する人Ｍ以外の人Ｍの図示が省略されている。
【００２５】
プロジェクタ筐体１０の前面（プロジェクタ筐体１０の投射口１１が位置する面）１０Ａかつ投射口１１の上部には投射口１１から投射される光の一部を遮蔽する遮光部材１５が取り付けられている。この実施形態では板状の遮光部材１５がプロジェクタ筐体１０の高さと同一の高さに配置されている。
【００２６】
遮光部材１５はプロジェクタ筐体１０の前面にヒンジ部材（図示せず）を介して折り畳み可能に取り付けられている。遮光部材１５は矢印１５ａで示す方向へ動く。なお、図示しないが、例えばプロジェクタ筐体１０の上面にレール（ガイド部材）を設置し、このレールをガイドとして遮光部材１５を投射方向（矢印１５ｂで示す方向）へスライド可能としてもよい。また、図示しないが、プロジェクタ筐体１０の上部に遮光部材１５の断面と同形状かつ遮光部材１５の断面よりわずかに大きなガイド穴（ガイド部材）を形成し、このガイド穴をガイドとして遮光部材１５を投射方向へスライド可能としてもよい。
【００２７】
図１、４では、プロジェクタ１は机５０の上面に設置されている。投射口１１から斜め下方へ向けて投射される映像を含む光はプロジェクタ筐体１０が設置される机５０の上面に交差するように斜め上方から投射される。人Ｍは机５０の周囲から机５０の上面に投射された映像５１を見る。このとき、投射口１１から放出される映像５１以外の光（投射口１１、投射レンズ２６、投射ミラー２５等の光学系から放射される光）は遮光部材１５によって遮蔽され、人Ｍの目Ｅに入らない（図４では×印で示している）。
【００２８】
この実施形態によれば、プロジェクタ１の光学系から放射される映像５１以外の光を遮光部材１５によって遮蔽することができるので、投射方向前方にいる人Ｍが机５０の上面に投射された映像５１を見るとき、映像５１以外の光は人Ｍの目に入らず、人Ｍは映像以外の光によるまぶしさを感じない。また、いわゆる単板式のＬＣＯＳ素子を用いたので、色分離光学系や色合成光学系が不要となり、いわゆる３板式のＬＣＯＳ素子を用いた場合に比べて価格、携帯性の点で有利である。更に、遮光部材１５がプロジェクタ筐体１０の高さと同一の高さに配置されているので、机５０の上方にプロジェクタ筐体１０を設置できる空間があれば、プロジェクタ１を設置することができるとともに、プロジェクタ１の外観をすっきりしたデザインとすることができる。
【００２９】
図５はこの発明の第２実施形態に係るプロジェクタの映像投射状態を示す概念図であり、第１実施形態と共通する部分には同一符号を付してその説明を省略する。
【００３０】
この実施形態は遮光部材１５の代わりに投射ミラー１２５を遮光手段として用いるようにした点で第１実施形態と相違する。
【００３１】
投射ミラー１２５はプロジェクタ筐体１０の前面１０Ａかつ投射口１１の上部に配置されている。
【００３２】
プロジェクタユニット１２０は投射ミラー１２５へ向けて斜め上方へ映像が投射されるようにプロジェクタ筐体１０に対して傾けて配置されている。プロジェクタユニット１２０と投射ミラー１２５とで映像投射手段が構成される。
【００３３】
プロジェクタユニット１２０内には、ＬＥＤ光源２１と反射型液晶パネル２２と集光レンズ２３と偏光ビームスプリッタ２４と投射レンズ２６とが収容されている。
【００３４】
投射口１１から斜め上方へ向けて投射される映像を含む光は投射ミラー１２５で反射されて机５０の上面に斜め上方から投射される。このとき、投射口１１から放出される映像５１以外の光は投射ミラー１２５によって遮蔽され、人Ｍの目Ｅに入らない（図５では×印で示している）。
【００３５】
この実施形態によれば、第１実施形態と同様の効果を奏する。
【００３６】
図６はこの発明の第３実施形態に係るプロジェクタの映像投射状態を示す概念図であり、第１実施形態と共通する部分には同一符号を付してその説明を省略する。
【００３７】
この実施形態は２つの投射ミラー２２５,２２６を用いた点で第１実施形態と相違する。投射ミラー２２５は遮光手段として用いられ、投射ミラー２２６は投射ミラー２２５へ向けてプロジェクタユニット２２０からの光を反射させるために用いられる。プロジェクタユニット２２０と投射ミラー２２５,２２６とで映像投射手段が構成される。
【００３８】
投射ミラー２２５はプロジェクタ筐体１０の前面１０Ａかつ投射口１１（図示せず）の上部に配置され、投射ミラー２２６はプロジェクタ筐体１０内の投射口１１（図示せず）の下部に配置されている。
【００３９】
プロジェクタユニット２２０から投射される映像が投射ミラー２２６へ向けて斜め下方へ投射されるようにプロジェクタユニット２２０はプロジェクタ筐体１０に対して傾けて配置されている。
【００４０】
プロジェクタユニット２２０内には、ＬＥＤ光源２１と反射型液晶パネル２２と集光レンズ２３と偏光ビームスプリッタ２４と投射レンズ２６とが収容されている。
【００４１】
投射ミラー２２６で反射されて投射口１１から斜め上方へ向けて投射される映像を含む光は投射ミラー２２５で反射されて机５０の上面に斜め上方から投射される。このとき、投射口１１から放出される映像５１以外の光は投射ミラー２２５によって遮蔽され、人Ｍの目Ｅに入らない（図６では×印で示している）。
【００４２】
この実施形態によれば、第１実施形態と同様の効果を奏する。
【００４３】
図７はこの発明の第４実施形態に係るプロジェクタの映像投射状態を示す概念図であり、第１実施形態と共通する部分には同一符号を付してその説明を省略する。
【００４４】
この実施形態は、プロジェクタユニット２０をプロジェクタ筐体１１０の前面１１０Ａから所定距離だけ離して配置し、プロジェクタユニット２０から投射口１１１までの光路の上方に位置するプロジェクタ筐体１１０の一部分を、プロジェクタユニット２０から投射される光の一部を遮蔽する遮光部（遮光手段）１１５とした点で第１実施形態と相違する。
【００４５】
遮光部１１５は、プロジェクタユニット２０と投射口１１１との間に配置された、投射口１１１に向かって次第に径が大きくなる投射像の光路を形成する筒３０を有している。
【００４６】
プロジェクタユニット２０から筒３０を介して斜め下方へ向けて投射される映像５１は投射口１１１から机５０の上面に斜め上方から投射される。このとき、プロジェクタユニット２０から放出される映像５１以外の光は遮光部１１５によって遮蔽され、人Ｍの目Ｅに入らない（図７では×印で示している）。
【００４７】
この実施形態によれば、第１実施形態と同様の効果を奏するとともに、筒３０によってプロジェクタ筐体１０の前面１１０Ａ（遮光部１１５）の強度を高めることができる。
【００４８】
なお、上記各実施形態ではプロジェクタ１を机５０の上面に設置して机５０の上面に映像５１を投射したが、机５０と平行な床面に映像５１を投射してもよい。また、プロジェクタ１を自由な向きで設置できるようにすれば、例えばプロジェクタ１を壁や天井に設置して天井、床、壁等に投射したり、ガラステーブルの裏側に設置してガラステーブルに映像が浮かび上がるように投射したりすることもできる。
【図面の簡単な説明】
【００４９】
【図１】図１はこの発明の一実施形態に係るプロジェクタの使用方法を説明する概念図である。
【図２】図２はこの発明の第１実施形態に係るプロジェクタの構成を示すブロック図である。
【図３】図３はプロジェクタユニットの構成を示すブロック図である。
【図４】図４はこの発明の第１実施形態に係るプロジェクタの映像投射状態を示す概念図である。
【図５】図５はこの発明の第２実施形態に係るプロジェクタの映像投射状態を示す概念図である。
【図６】図６はこの発明の第３実施形態に係るプロジェクタの映像投射状態を示す概念図である。
【図７】図７はこの発明の第４実施形態に係るプロジェクタの映像投射状態を示す概念図である。
【符号の説明】
【００５０】
１： プロジェクタ、１０：プロジェクタ筐体、１０Ａ：前面、１１：投射口、１５,１１５，１１５：遮光部材（遮光手段）、２０：プロジェクタユニット（映像投射手段）、３０：筒、１２５，２２５：投射ミラー。
【図１】
2010032932.tif 000003
【図２】
2010032932.tif 000004
【図３】
2010032932.tif 000005
【図４】
2010032932.tif 000006
【図５】
2010032932.tif 000007
【図６】
2010032932.tif 000008
【図７】
2010032932.tif 000009